(57)【特許請求の範囲】
【請求項１】
メインユニットＭＵと、遠位端ユニットおよびそれと連結される複数のアンテナＲＵとを含むＤＡＳシステムに使用され、
ステップ１：ターミナルＵＥ１がＤＡＳシステムにアクセスする必要がある場合には、前記ＵＥ１はＤＡＳシステムにアクセスの請求を発送し、前記ＭＵはそれぞれのＲＵが受信した当該請求信号の信号パワーによって、信号の最も強いＲＵを前記ＵＥ１に分配して、アクセスするＲＵとするとともに、アップリンクを構築し、
ステップ２：前記ＵＥ１がアクセスするＲＵは一定の時間間隔をもって持続的にＳＩＮＲ値を測定するとともに、プリセットの閾値γ１と比較し、干渉レベルが通信に影響があるかどうかを確定し、前記ＳＩＮＲ値によってそれぞれ以下のプログラムを実施し、
（１）前記ＳＩＮＲ値がγ１より小さければ、ＤＡＳシステムは以下のプログラムを実施し、
ステップ２０１ａ：前記ＵＥ１がアクセスするＲＵが、前記ＭＵにメッセージを発送することで、当該ＲＵの干渉が強いことが表明され、
ステップ２０２ａ：前記ＭＵは当該ＵＥ１がアクセスするＲＵおよびその周辺の個々のＲＵを候補ＲＵとするとともに、それらにコメントを発送し、ＵＥ１受信信号に関する受信パワー値とＳＩＮＲ値の測定を求め、
ステップ２０３ａ：それぞれの候補ＲＵは、個々のＲＵのＳＩＮＲ値および受信パワー値を測定するとともに、前記ＭＵに当該ＳＩＮＲ値と受信パワー値を報告し、
ステップ２０４ａ：前記ＭＵは得られたそれぞれのＲＵのＳＩＮＲ値によって、ＳＩＮＲがγ１より大きいものを選択するとともに、受信パワー値が最大のＲＵを新しくＵＥ１がアクセスするＲＵとし、
ステップ２０５ａ：前記新しくＵＥ１がアクセスするＲＵにアップリンクを構築するとともに、ステップ２０１ｂに移り、
（２）前記ＳＩＮＲ値がγ１より大きければ、ＤＡＳシステムは以下のプログラムを実施し、
ステップ２０１ｂ：ＵＥ１とそれがアクセスするＲＵはアップリンクを維持し、当該ＲＵは引き続き一定の時間間隔をもって持続的にＳＩＮＲ値を測定し、当該測定したＳＩＮＲ値がγ１より小さければ、上記ステップ２０１ａ〜２０５ａを実施する、
上記ステップを含むことを特徴とするアンテナ選択による室内ＤＡＳの小型基地局アップリンク信号干渉に対する方法。
【請求項２】
前記プリセットの閾値γ１の範囲は−３ｄＢ〜３ｄＢである、
ことを特徴とする請求項１に記載のアンテナ選択による室内ＤＡＳの小型基地局アップリンク信号干渉に対する方法。
【発明の詳細な説明】
【技術分野】
【０００１】
本発明はモバイル通信分野に属し、セル間同周波数干渉に対する方法に関するもので、具体的にはアンテナ選択による室内ＤＡＳシステムの小型基地局アップリンク信号干渉に対する方法に関するものである。
【背景技術】
【０００２】
スマートターミナルが益々広く普及されるにつれ、無線データ業務に対するニーズも爆発的成長の傾向を見せている。予測によれば、２０１０年から２０１５年まで、グロバールモバイルデータフローの増加量は２４倍も超え、２０１０年から２０２０年までの１０年間の増加量は甚だしく５００倍も超える見通しであり、これは通信業者のサービス提供能力にとって大きなチャレンジとなっている。一般的に、セルラー通信網モバイル業務は明らかな不均一性特性を示している。統計によれば、約６０％の音声業務と９０％のデータ業務は室内で行われる。そのため、通信業者にとって、優れた室内カバーを提供できるということは顧客流失を避け、企業の収益を高める重要な手段となっている。しかしながら、約４５％の家庭と３０％の企業はいずれもある程度の室内カバーが良くないという問題が存在しているが、その主要原因は現在の室内カバーの提供手段によるもので、その大部分は戸外のマクロセル基地局に基づくものであり、信号が壁を通り抜ける時にロスが大き過ぎるからである。
【０００３】
目下提供されている室内カバー手段としては、リレーや室内ＤＡＳシステム、放射ケーブル、小型基地局システムなどがある。その中、リレーと放射ケーブルは据付が煩雑であるので、室内ＤＡＳシステムと小型基地局システムに取って代わりつつある。一般的に、室内ＤＡＳシステムは大型室内環境に比較的全面的な信号カバーを提供できるものの、容量を高めることはできない。なぜならば、すべてのアンテナユニットは同一基地局に接続されるからである。そのため、スマートフォンやタブレットＰＣなどのデータフローの爆発的成長に直面して、室内ＤＡＳシステムは対応が難しくなっている。小型基地局は室内ホットポイントエリアの配置を通じて、データ容量問題を解決できるものの、大型建物全体をカバーすることはできない。そのため、未来の相当長い期間内において、十分なデータ容量と信号カバーを提供するために、室内ＤＡＳシステムと小型基地局の共同に配置される見通しである。
【０００４】
しかし、室内ＤＡＳシステムと小型基地局の共同配置は相互間干渉の原因となり、特に3GPP LTEがスペクトル利用率をさらに向上するために、全周波数再利用というコンセプトを提案することによって、両者間の干渉問題はシステム性能を制限するキーポイント要素となっている。目下、同周波数干渉を避けるために、3GPP LTEは干渉コーディネーションによる干渉対策を提案し、時間帯、周波数帯において、相互間直交するようにして干渉を避けている。しかし、これらの干渉コーディネーション方式はいずれも小型基地局とマクロ基地局に基づくもので、両者は空間位置上明らかな差異があって、パワー制御によって干渉を避けることができる。しかし、小型基地局と室内ＤＡＳシステムの場合は、両者が空間位置上ほとんど重なっており、小型基地局の「プラグアンドプレイ」特性を考慮して、既存の干渉コーディネーション方法としては、ICIC、eICICおよびFeICICなどがあるが、これらの方法は小型基地局と室内ＤＡＳシステムの干渉コーディネーション中に直接利用することができない。そのため、ＤＡＳシステムの室内配置、分布方式などの特徴によって、改めて干渉抑制方法をデザインして、ＤＡＳシステムが小型基地局の存在する環境の下で正常に運行できるようにする必要がある。
【発明の概要】
【発明が解決しようとする課題】
【０００５】
解決しようとする課題：室内ＤＡＳシステムと小型基地局との混合配置において、ＤＡＳシステムのアップリンクが小型基地局のアップリンクの干渉を受ける問題を解決するために、本発明ではＤＡＳシステムの有する分布式マルチアンテナ特徴によって、アンテナ選択による室内ＤＡＳシステムの小型基地局アップリンク信号の干渉を避ける方法を提供することが目的であり、具体的に言うと、室内分布式アンテナシステム（ＤＡＳ）に使用される室内小型基地局のアップリンク同周波数信号干渉を避ける方法である。
【課題を解決するための手段】
【０００６】
本発明の具体的なステップを説明する前に、先ず一部の略称および記号について定義する。室内ＤＡＳシステムのメインユニットをＭＵで表示し、遠位端ユニットおよびそれと連結されるアンテナはＲＵと略称して表示し、ＲＵｎ（ｎは１，２，３…などの自然数）は第ｎ番目のＲＵであるかを定義する。ＵＥ１はＤＡＳシステムにアクセスするターミナルを表示する。信号干渉ノイズ比はＳＩＮＲで表示して、信号パワーと干渉ノイズパワーの比とする。本発明を実現するステップ中には一つのＳＩＮＲ閾値があり、それをγ１で表示し、あるＲＵの受信信号のＳＩＮＲ値がγ１より小さければ、当該ＲＵが比較的大きな干渉を受けていることを表明し、放棄すべきである。
【０００７】
本発明に記載のアンテナ選択による室内ＤＡＳシステムの小型基地局アップリンク信号干渉を避ける方法には、以下ステップが含まれる。
【０００８】
ステップ１：初期ＲＵアクセスを確認し、アップリンクを構築する。
【０００９】
ＵＥ１をＤＡＳシステムにアクセスする必要がある場合には、ＤＡＳシステムにアクセスの請求を発送する。ＤＡＳシステムはそれぞれのＲＵが受信した当該請求信号の信号パワーによって、信号の最も強いＲＵをＵＥ１に分配して、アクセスするＲＵとするとともに、アップリンクを構築する。その中、前記ＲＵは遠位端ユニットおよびそれと連結されるアンテナであり、前記ＵＥ１はＤＡＳシステムにアクセスするターミナルである。
【００１０】
ステップ２：ＵＥ１のアクセスするＲＵは干渉のレベルによってその他のＲＵに切り替える必要があるかどうかを確定する。
【００１１】
その中、ＵＥ１のアクセスするＲＵ一定の時間間隔をもって持続的にＳＩＮＲ値を測定するとともに、プリセットの閾値γ１と比較し、干渉レベルが通信に影響があるかどうかを確定し、ＳＩＮＲ値によってそれぞれ以下プログラムを実施する。
【００１２】
（１）ＳＩＮＲ値がγ１より小さければ、ＤＡＳシステムは以下プログラムを実施する。
【００１３】
ステップ２０１ａ：ＵＥ１のアクセスするＲＵがＭＵにメッセージを発送すれば、当該ＲＵの干渉が強いことが表明され、その他のＲＵに切り替える必要がある。その中、ＭＵは室内ＤＡＳシステムのメインユニットである。
【００１４】
ステップ２０２ａ：ＭＵは当該アクセスされるＲＵおよびその周辺の個々のＲＵを候補ＲＵとするとともに、それらにコメントを発送し、ＵＥ１受信信号の受信パワーとＳＩＮＲ値の測定を求める。
【００１５】
ステップ２０３ａ：それぞれの候補ＲＵに対し、個々のＲＵのＳＩＮＲ値および受信信号パワーを測定するとともに、ＭＵに当該ＳＩＮＲ値と受信パワー値を報告する。
【００１６】
ステップ２０４ａ：ＭＵは得られたそれぞれのＲＵのＳＩＮＲ値によって、ＳＩＮＲがγ１より大きいものを選択するとともに、受信信号が最大のＲＵをＵＥ１に新しくアクセスするＲＵとする。
ステップ２０５ａ：ＵＥ１と新しくアクセスするＲＵにアップリンクを構築するとともに、ステップ２０１ｂに移る。
（２）ＳＩＮＲ値がγ１より大きければ、ＤＡＳシステムは以下プログラムを実施する。
【００１７】
ステップ２０１ｂ：ＵＥ１とそれにアクセスするＲＵ上にアップリンクを維持し、当該ＲＵに対し引き続き一定の時間間隔をもって持続的にＳＩＮＲ値を測定し、ＳＩＮＲ値がγ１より小さければ、ステップ２０１ａ〜２０５ａを実施する。
好ましくは、前記プリセットの閾値γ１の範囲は−３ｄＢ〜３ｄＢである。
【発明の効果】
【００１８】
（１）ＤＡＳシステムと小型基地局との間でコーディネーションメカニズム（情報共有）を構築する必要がなく、リターンリンクの要求を低下する。
【００１９】
（２）異なるＲＵ間の切り替えによって干渉の影響を低減するので、実現し易く、複雑な信号技術が必要なく、ＤＡＳシステム上で簡単なソフト・ハードウェアのアップグレードによって本発明を実現することができる。
【００２０】
（３）ＳＩＮＲと受信信号パワーを綜合的に考慮して、ひたすらＳＩＮＲを追求して受信信号パワーが低過ぎになる問題を避けられる。例えばＲＵのＲＦ先端感度に対する要求など。
【図面の簡単な説明】
【００２１】
【図１】図１は小型基地局アップリンク信号のＤＡＳシステムアップリンク信号に対する干渉の模式図である。
【図２】図２は本発明に記載のＤＡＳシステムの模式図である。
【図３】図３は本発明のアンテナ選択フローチャートである。
【図４】図４は本発明の具体的な実地例の一つである。
【発明を実施するための形態】
【００２２】
次は添付図に結合して、本発明に対して詳しく説明することにする。
【００２３】
図１は本発明の具体的な情況を示した模式図で、情況にはＤＡＳシステムおよび小型基地局が含まれる。一般的に、ＤＡＳシステムは建物に分布された複数のＲＵによって、室内の信号カバーを改善するが、ネットワークの容量を増やすことはできない。小型基地局はホットポイントエリアのカバーに使用され、容量を効果的に増やすことができるものの、大型建物である場合は、ＤＡＳシステムのように全面的にカバーすることはできない。そのため、今後の長い期間において、ＤＡＳシステムと小型基地局との混合配置となる見通しで、これによって建物全体の信号カバーを満たすと同時に、ホットポイントエリアの容量条件を満たすこともできる。しかし、この情況において、ＤＡＳシステムと小型基地局システムの同周波数干渉はシステム性能を制約する重要な要素となっている。一般的に、室内ＤＡＳシステムと小型基地局が混合配置されれば、アップリンク上で相互間の干渉が存在し、即ちＤＡＳシステムのアップリンクは小型基地局のアップリンクに干渉が発生すると同時に、小型基地局もＤＡＳシステムのアップリンクに干渉が発生する。図１に示すとおり、小型基地局にアクセスするターミナルにアップリンク伝送をする時には、ＤＡＳシステムの各ＲＵの受信信号に干渉が発生し、逆の場合も同様に干渉が存在する。ＤＡＳシステムの個々のＲＵは機能が比較的単一であるので、その干渉抑制能力も比較的弱い。逆に、小型基地局はより複雑に作ることができ、且つ小型基地局にアクセスするターミナルがあまり多くないので、そのＤＡＳシステムアップリンク干渉に対抗する能力が比較的強くなる。このような原因によって、本発明はＤＡＳシステムの小型基地局アップリンク干渉に対抗する問題を重点的に考慮して、アンテナ選択方法によるＤＡＳシステムの受信信号雑音比を向上する方法を提案して、小型基地局のアップリンク干渉による影響を避けるようにする。
【００２４】
図２は本発明に記載の室内ＤＡＳシステムの模式図である。当該室内ＤＡＳシステムは主にＭＵとそれぞれのＲＵモジュールを含み、その中、本発明と関連するＭＵ機能としては：
１）それぞれのＲＵを管理するとともに、ＲＵによって提供されるＳＩＮＲ値と受信信号パワーでＵＥ１にアクセスされるＲＵを選択する。
２）ＲＵ間の切り替えを制御し、ＵＥ１の穏やかな切り替えを維持する。
【００２５】
本発明と関連するＲＵの機能：
１）受信信号のＳＩＮＲ値と受信信号パワーを見積もる。
２）ＭＵにＳＩＮＲと受信パワー値および対応する通知を発送する。
【００２６】
図３は室内ＤＡＳシステムと小型基地局のアップリンク干渉を避けるフローチャートである。図４ような所定の情況と結合して、図３に開示された問題解決フローチャートに対して具体的な実施方式を提示する。
【００２７】
図４に示す実施例において、ＤＡＳシステムにはトータル６つのＲｕがあり、当該ＤＡＳシステムには一つの小型基地局が存在する。当該実施例において、ＵＥ１から６つのＲＵまでの距離はそれぞれ[15，7，20，8，25，22]、ＵＥ２から６つのＲＵまでの距離はそれぞれ[20，5，27，10，28，22]であると仮定する。また、ＵＥ１とＵＥ２の発射パワーが等しと仮定すれば、γ１は１（即ち０ｄＢ）、経路ロスと距離の立方は反比例関係となり、受信信号の信号雑音比は１０ｄＢとなる。ＵＥ１とＤＡＳシステムの全ての通信時間帯内において、ＵＥ２はその中の一部の時間帯だけに小型基地局にアクセスされる（図４中の段階２）。
【００２８】
ステップ１によって、ＵＥ１はＤＡＳにアクセスの請求を発送し、それぞれのＲＵが当該信号を受信して、受信信号のパワーを見積もるとともに、見積値をＭＵに報告する。本実施例において、ＵＥ１はＲＵ２と一番近いので、ＲＵ２の受信信号パワーが一番強く、ＤＡＳシステムはＲＵ２をＵＥ１にアクセスするＲＵとする。ＲＵ２は引き続きＵＥ１とアップリンクを構築する。
【００２９】
ステップ２：ＲＵ２は一定の時間間隔でＳＩＮＲ値を測定するとともに、プリセットの閾値γ１と比較する。
【００３０】
その中、本実施例中、この時ＵＥ２の干渉がないため、ＲＵ２の得るＳＩＮＲ値は実際上信号雑音比となり、１０ｄＢで、γ１より大きい、従ってステップ２０１ｂを実施する。
【００３１】
ステップ２０１ｂ：ＵＥ１とＲＵ２上にアップリンクを維持し、当該ＲＵ２に対し引き続き一定の時間間隔をもって持続的にＳＩＮＲ値を測定する。
【００３２】
その中、ＵＥ２は小型基地局にアクセスする前の図４に示す段階１であり、ＤＡＳシステムは始終にステップ２０１ｂ中を維持し、ＵＥ２が小型基地局にアクセスされると、図４に示す段階２に入る。この時、ＲＵ２から測定されるＳＩＮＲ値は約０．３６（即ち−４．４ｄＢ）で、γ１より小さいので、システムは２０１ａ〜２０５ａを実施する。
【００３３】
ステップ２０１ａ：ＲＵ２がＭＵにメッセージを発送し、そのＳＩＮＲ値を発送すればば、ＲＵ２の受ける干渉が強いことが表明され、その他のＲＵに切り替える必要がある。
【００３４】
ステップ２０２ａ：ＭＵはＲＵ２およびその周辺のＲＵを候補ＲＵとし、本実施例ではＲＵ１、ＲＵ４、Ｒｕ６に、それらにコメントを発送して、ＵＥ１受信信号に関する受信パワーとＳＩＮＲ値の測定を求める。
【００３５】
ステップ２０３ａ：個々の候補ＲＵに対する本ＲＵのＳＩＮＲ値および受信信号パワーを測定するとともに、ＭＵに当該ＳＩＮＲ値と受信パワー値を報告する。
【００３６】
その中、本実施例において、ＵＥ１、ＵＥ２およびＲＵ１、ＲＵ２、Ｒｕ４、ＲＵ６の位置関係によって、ＲＵ１の見積のＳＩＮＲ値は約２．３７、ＲＵ２の見積のＳＩＮＲ値は約０．３６、ＲＵ４の見積のＳＩＮＲ値は約１．９５、ＲＵ６の見積のＳＩＮＲ値は約１である。それと同時に、ＵＥ１信号の受信パワーの大から小への順はＲＵ２、ＲＵ４、ＲＵ１、ＲＵ６となる。
【００３７】
ステップ２０４ａ：ＭＵは得られた各ＲＵのＳＩＮＲ値によって、ＳＩＮＲがγ１より大きいものを選択するとともに、受信信号パワーが一番大きいＲＵをＵＥ１に新しくアクセスされるＲＵとする。
【００３８】
その中、本実施例において、閾値γ１より大きいのはＲＵ１、ＲＵ４、ＲＵ６である。その中、ＲＵ１のＳＩＮＲ値が一番高い。しかし、本発明ではＲＵ１をＵＥ１にアクセスするＲＵせず、ＳＩＮＲ値が閾値より高いＲＵ中の受信信号の一番強いＲＵを選択するが、本発明ではＲＵ４となる。
【００３９】
ステップ２０５ａ：ＵＥ１とＲＵ４上にアップリンクを構築し、システムはすぐにステップ２０１ｂに移る。
【００４０】
上記内容は、本発明の比較的良い実施方式に過ぎず、本発明の保護範囲を限定するものではない。本発明の精神を離れずに行われた修正や等価置換および改進などは、いずれも本発明の特許請求の範囲内に属する。
【図１】
0006473520.tif 000002
【図２】
0006473520.tif 000003
【図３】
0006473520.tif 000004
【図４】
0006473520.tif 000005